(57)【要約】【課題】断熱材表面に付着した結露水等を、断熱材内部にしみこませずに、直接的に建物外部に排出する床下断熱材を提供する。【解決手段】発泡合成樹脂製の床下断熱材１は、大引き２の長手方向に位置する両端部に向けて二方向に形成された下向きの傾斜面１２と、上記大引き２の長手方向の一端側に位置する上記断熱材の前側面の上部に設けられた第１凸部１３を有する断熱材前側部１４と、上記断熱材前側部１４の他端側に位置する断熱材の後側面の下部に設けられた第２凸部１５を有する断熱材後側部１６とを備えており、上記第２凸部１５の上面には少なくとも１つ以上のスペーサ１８が形成されている。更に、必要に応じて、上記床下断熱材１と他の床下断熱材１との間に形成される断熱材間隙３２に、発泡合成樹脂製の透水性材料からなる補助断熱材２３が介装される。【選択図】図４
0003129482.tif 000002
【実用新案登録請求の範囲】
【請求項１】
建物の床下に所定の間隔をあけて配列される大引きのうち、互いに隣接する大引き間に配設される床下断熱材において、
上記断熱材について、下向きの傾斜面が上記大引きの長手方向に位置する両端部に向けて二方向に形成された発泡合成樹脂製の断熱材と、
上記大引きの長手方向の一端側に位置する上記断熱材の前側面の上部に設けられた第１凸部を有する断熱材前側部と、
上記断熱材前側部の他端側に位置する断熱材の後側面の下部に設けられた第２凸部を有し、上記第２凸部の上面に少なくとも１つ以上のスペーサが形成された断熱材後側部とを備えること
を特徴とする床下断熱材。
【請求項２】
上記断熱材における上記傾斜面の傾斜角は、水平面に対して３°〜１５°の範囲に形成されていること
を特徴とする請求項１に記載の床下断熱材。
【請求項３】
上記断熱材における上記傾斜面の傾斜角は、水平面に対して５°〜１１°の範囲に形成されていること
を特徴とする請求項２に記載の床下断熱材。
【請求項４】
他の床下断熱材が上記大引きの長手方向に隣接して配設されることにより他の床下断熱材との間に断熱材間隙が形成され、発泡合成樹脂製の透水性材料からなる補助断熱材が上記断熱材間隙に介装されること
を特徴とする請求項１〜３のうち何れか１項記載の床下断熱材。
【考案の詳細な説明】
【技術分野】
【０００１】
本考案は、建物の床下に配設される床下断熱材に関する。
【背景技術】
【０００２】
一般に、建物の床下の構造は、支柱間に所定の間隔を開けて大引きを配置し、必要な場合には、この大引きの上に根太を配置し、これらの上に合板を配置する構造とされている。ここで、通常は、建物の屋内温度を適度に維持するために、床下断熱材が互いに隣接する大引き間等に配設される。
【０００３】
ところで、大気が壁体内部又は表面に触れて一定の温度以下に冷却された場合、空気中に含まれている水分が水滴となって現れるいわゆる結露が発生する。この結露は屋内の湿度が高い場合や屋内外の温度差が大きい場合により発生しやすくなる。特に冬場においては、屋内を快適温度に保持するために断熱材や強い暖房を要する場合がある。その場合、屋内温度が屋外温度より高く維持され、さらに、屋内の湿度は暖房から排出される湿気により高くなる。このため、断熱材の表面や内部で、屋内の暖かく湿った空気が屋外の冷たい空気に冷却され、結露が特に発生しやすくなる。
【０００４】
また、雨や雪等を伴う天候環境のもとで断熱材を配設する場合がある。この場合、雨や雪等による水滴が断熱材に付着した状態で配設され、その後すぐに床材を配置することが多く、長期間にわたり断熱材上にその水滴が残留する場合がある。このように、結露による結露水や、雨や雪等による水滴等（以下、結露水等と略す）が断熱材上面に付着したまま残留する場合が多い。
【０００５】
従来の断熱材においては、この結露水等が断熱材周縁の木材等を腐敗させ、建築物の寿命に影響していた。また、特に繊維系断熱材においては、この結露水等が断熱材内部にしみこみ長時間保持されるため、カビやダニを発生させてアレルギーの一因となっていた。このため、断熱材周縁に発生した結露水等を建物外部に排出する必要があった。
【０００６】
従来、例えば特許文献１において、断熱材の片面又は両面に、活性炭等を適度な粒子に加工して粒状炭層を設けた建築用断熱材が提案されている。この建築用断熱材は、その粒状炭層が断熱材内部にしみこんだ結露水等を吸湿し、断熱材周縁の湿度が低いときに大気中に放湿して、短時間で断熱材を乾燥させることを目的とするものである。
【特許文献１】特開平１１−１８１９０７号公報
【考案の開示】
【考案が解決しようとする課題】
【０００７】
しかし、特許文献１の開示技術においては、断熱材周縁に発生した結露水等が建物外部に排出されるのは、粒状炭層により吸湿・放湿された後にはじめて達成される。このため、断熱材が配設されている建物の周囲の湿度が長期間にわたり高いままである場合、粒状炭層に吸湿された結露水等が十分に放湿されなくなる。そうすると、断熱材周縁の結露水等を粒状炭層が吸湿しきれなくなり、断熱材内部もしくは表面に多量の結露水等が残ってしまう。
【０００８】
このため、断熱材表面に付着した結露水等を、断熱材内部にしみこませず、かつ、直接的に建物外部に排出するような構造を備えた考案が望まれる。
【０００９】
そこで、本考案は、上述した問題点に鑑みて案出されたものであり、その目的とするところは、断熱材表面に付着した結露水等を、断熱材内部にしみこませずに、直接的に建物外部に排出するような床下断熱材を提供することにある。
【課題を解決するための手段】
【００１０】
本考案者は、上述した課題を解決するために、建物の床下に所定の間隔をあけて配列される大引きのうち、互いに隣接する大引き間に配設される床下断熱材において、上記断熱材について、下向きの傾斜面が上記大引きの長手方向に位置する両端部に向けて二方向に形成された発泡合成樹脂製の断熱材と、上記大引きの長手方向の一端側に位置する上記断熱材の前側面の上部に設けられた第１凸部を有する断熱材前側部と、上記断熱材前側部の他端側に位置する断熱材の後側面の下部に設けられた第２凸部を有し、上記第２凸部の上面に少なくとも１つ以上のスペーサが形成された断熱材後側部とを備える床下断熱材を考案した。
【考案の効果】
【００１１】
上述した構成からなる本考案においては、断熱材が耐吸湿性の高い発泡合成樹脂を材料として構成するため、床下断熱材の傾斜面上に付着した結露水等は、断熱材内部にしみこむことなく、傾斜面表面を下方に向けて滑り落ちていく。その結果、断熱材両端部にまで流下した結露水等は、床下断熱材の下方の地面に排出されることになる。これにより、断熱材表面に付着した結露水等を、断熱材内部にしみこませずに、直接的に建物外部に排出することが可能となる。
【００１２】
また、大引きの長手方向にむけて他の断熱材と連続して配設する場合、この床下断熱材は、他の断熱材のスペーサ上に載置されて、他の断熱材との間に間隙が形成されるため、その間隙を介して結露水等を地面に排出することを可能とする。
【考案を実施するための最良の形態】
【００１３】
以下、本考案を実施するための最良の形態について、図面を参照しながら具体的に説明する。なお、本考案は、下記実施例に限定されるものではない。
【００１４】
図１は、本考案を適用した床下断熱材の配設状態を示す斜視図である。また、図２（ａ）は、図１に示す長手方向にむけて床下断熱材を連続して配設した状態を、図１に示す幅方向から見た断面図である。また、図２（ｂ）は、図２（ａ）における床下断熱材と他の断熱材の係合部を拡大したものである。図３は、互いに隣接する大引きの間に配設されていない状態の床下断熱材を幅方向から見た正面図である。
【００１５】
床下断熱材１は、建物の床下に所定の間隔を開けて配列される大引き２のうち、互いに隣接する大引き２の間に配設される。大引き２は、地面から鉛直上方に伸びる支柱等によって支持されている。また、大引き２の上面には合板３が載置される。合板３が大引き２の上面に載置された場合、床下断熱材１と合板３との間には中空空間４が形成される。また、床下断熱材１の下方には屋外空間５があり、合板３の上方には屋内空間６がある。
【００１６】
大引き２の形状は、図１に示す長手方向に伸びた角材である。また、大引き２の幅方向側面２ａは、鉛直面に対して平行な面をなしている。更に、大引き２は、幅方向側面２ａから、隣接する大引きの幅方向側面２ａまで大引き間幅Ｗａをあけて配列される。また、大引き２は、例えば一般住宅の建築構造物等に用いられるものであり、建築構造物の骨組部材として機能する。このような床下の骨組部材として他に根太があるが、この根太を、大引き２の代わりに用いてもよい。
【００１７】
床下断熱材１は、図２に示すように、長手方向中央部１１と、長手方向中央部１１から該大引き２の長手方向に位置する床下断熱材１の両端部に向けて二方向に形成された下向きの傾斜面１２と、該大引き２の長手方向の一端側に位置する床下断熱材１の断熱材前側部１４と、該断熱材前側部１４の他端側に位置する断熱材後側部１６とを備えている。該断熱材前側部１４は、その長手方向前側面１４ａの上部に第１凸部１３を設けている。また、該断熱材後側部１６は、その長手方向後側面１６ａの下部に第２凸部１５を設けている。さらに、第２凸部１５の上面には、少なくとも１つ以上のスペーサ１８が幅方向に任意の間隔をあけて形成されている。また、床下断熱材１の幅方向両側面上部３３には、挟持部２１が設けられている。さらに、床下断熱材１は、長手方向に向けての全長として図２に示す長さＬａからなる。また、床下断熱材１は、鉛直方向の厚さとして図３に示す厚さＨａからなる。
【００１８】
床下断熱材１に用いられる材質は、ポリスチレンフォームやポリエチレンフォーム等の発泡合成樹脂である。このため、床下断熱材１は弾性に優れ、断熱性が高く、吸水性が低く、更に成型性に富んでいる。
【００１９】
また、床下断熱材１は１枚のみで使用してもよいし、２枚以上の床下断熱材１を長手方向に向けて連続して配設してもよい。
【００２０】
長手方向中央部１１は、上面が略水平面をなしており、その上面には床材３が載置される。かかる上面は、略水平面でなくとも、長手方向の二方向に下向きの傾斜を設けていれば、角型であってもよいし、曲面であってもよい。なお、長手方向中央部１１の上面が略水平面の形状をなす場合、角型や曲面の形状をとる場合に比べて厚さＨａが薄くなり、それにより中空空間４の体積が減少する。中空空間４の体積は、後述する理由により、少ないほど好ましい。さらに、床下断熱材１は、厚さＨａが薄い方が、省スペース性に優れるため、好ましい。
【００２１】
傾斜面１２の形状は、下向きの傾斜が形成されていれば、平坦であっても、湾曲していてもよい。また、傾斜面１２は、水平面に対して３°〜１５°の範囲の傾斜角θを形成している。なお、この傾斜角θが５°〜１１°の範囲の場合に、本考案の効果は最も効果的に作用するが、詳細については後述する。また、床下断熱材１の２つの傾斜面１２における傾斜角θは、それぞれ同じ値をとっても、異なる値をとっていてもよい。
【００２２】
第１凸部１３及び第２凸部１５の上面は、傾斜面１２と同様に水平面に対して３°〜１５°の範囲の傾斜角θを形成している。また、第１凸部１３及び第２凸部１５の下面は略水平をなしている。また、第２凸部１５は、図２に示すように、床下断熱材１の下面であって、断熱材後側部１６に近接した、より急峻な下面１７を介して設けられている。この下面１７の勾配は、いかなる角度をなしていてもよい。
【００２３】
スペーサ１８は、上面が略水平面をなす形状となっている。このため、スペーサ１８の上面は、他の断熱材の第１凸部１３の下面を安定して載置して、他の床下断熱材１を支持する。この場合、図２（ｂ）に示すように、断熱材後側面１６ａと他の断熱材の第１凸部１３の長手方向前側面１４ａとの間に、断熱材間隙３２ａが、第２凸部１５の長手方向後側面１６ａと他の断熱材の長手方向前側面１４ａとの間に、断熱材間隙３２ｂが、第２凸部１５の上面と他の断熱材の第１凸部１３の下面との間に、断熱材間隙３２ｃが形成される。この断熱材間隙３２ｃは、断熱材間隙３２ａ、３２ｂと連続しているため、屋外空間５と中空空間４の空気は、この断熱時間隙３２ａ、３２ｃ、３２ｂを順に通って流出する。また、スペーサ１８は、少なくとも１つ以上設けられていればよい。
【００２４】
挟持部２１は、断面が矩形の形状をして長手方向に伸びており、その幅方向の中央部には同じく長手方向に伸びた溝２２を設けている。挟持部２１の幅方向側面２１ａは、図３に示すように、鉛直面に対して僅かに傾いた扁平な面をしている。挟持部２１は、その上面に位置する幅方向左側面２１ａから他方の上面に位置する幅方向右側面２１ａまでの幅が、断熱材上面幅Ｗｂからなる。また、挟持部２１は、その下面に位置する幅方向左側面２１ａから他方の下面に位置する幅方向右側面２１ａまでの幅が、断熱材下面幅Ｗｃからなっている。幅の長さは、Ｗｃ＜Ｗａ＜Ｗｂの順に長くなる。床下断熱材１は、弾性があり、さらに大引き間幅Ｗａより断熱材上面幅Ｗｂが長い状態で大引き２間に配設されるため、挟持部２１の幅方向側面２１ａ上部は、大引き２の幅方向側面２ａに向けて応力を負荷していることになる。その応力により、床下断熱材１は、大引き２に圧設される。これにより、中空空間４と屋外空間５の空気は、幅方向側面１ａと幅方向側面２ａとが圧設された箇所からなる圧設部３１を通して、流動しにくくなる。このため、圧設部３１において、中空空間４から屋外空間５にむけての断熱性は高く維持される。
【００２５】
本考案を適用した床下断熱材において、例えば図４、図５に示すように、断熱材間隙３２ａに発泡合成樹脂製の透水性材料からなる補助断熱材２３を介装させてもよい。また、補助断熱材２３は、断熱材間隙３２ａ、断熱材間隙３２ｂ、もしくはすべての断熱材間隙３２ｃのいずれかを介装させていればよい。さらに、補助断熱材２３は、第１凸部１３下面、断熱材前側面１４ａ、第２凸部１５上面、断熱材後側面１６ａ、の何れか１以上の面において封着されていてもよい。
【００２６】
補助断熱材２３に用いられる材質は、透水性材料からなる軟質ウレタン系発泡体やプラスチック系発泡体等の発泡合成樹脂である。このため、補助断熱材２３は、弾性及び透水性に優れ、断熱性の観点からも効果があり、さらに成型性に富んでいる。
【００２７】
次に、本考案を適用した場合の動作について説明する。
【００２８】
断熱材を床下に配設した場合、床下断熱材１の表面に結露による結露水等が付着する。ここで傾斜面１２表面に付着した水滴は、床下断熱材１の吸水性が低いため断熱材内部にしみこむこと無く、傾斜面１２表面を下方に向けて容易に滑り落ちる。その後、第１凸部１３上面にまで流下した結露水等は、断熱材間隙３２ａを介して、隣接する他の断熱材の第２凸部１５の上面に落下する。一方、断熱材後側部１６上端にまで流下した結露水等も、断熱材間隙３２ａを介して、第２凸部１５上面に落下する。ここで、第２凸部１５の上面に落下した結露水等は、断熱材間隙３２ｃを介して、第２凸部１５上面を下方に向けて滑り落ち、最終的に第２凸部１５の長手方向端部より断熱材間隙３２ｂを通して地面に向けて滴下する。すなわち、床下断熱材１の表面に付着した結露水等は、この傾斜面１２、断熱材間隙３２ａ、３２ｂ及び３２ｃにより、図２（ｂ）に示す矢印の向きに従い、直接的に建物外部に排出されることとなる。
【００２９】
ここで、床下断熱材１は、傾斜面１２が長手方向の二方向にむけてのみ形成されており、幅方向両側面上部３３に付着する結露水等も流下しやすい。また、結露水等が、床下断熱材１の幅方向に流れにくくなり、その結果、幅方向両側面上部３３に結露水等がたまりにくい構造となっている。このため、幅方向両側面上部３３において結露水等が残留するのを防止しつつ、効果的に結露水等を外部に排出することができる。
【００３０】
なお、上述した実施の形態において、床下断熱材１の傾斜角θは、３°〜１５°の範囲で構成することが望ましい。その理由として、傾斜角θが低すぎる場合、静的摩擦力の影響により、傾斜面１２上に付着した結露水等が滑り落ちなくなる。傾斜面１２上に付着した結露水等が滑り落ち始める傾斜角θの下限値は３°程度であるため、本考案では下限値を３°としている。また、傾斜角θが大きすぎる場合、中空空間４の体積が増加し、屋外空間５から空気が断熱材間隙３２ａ、３２ｂ、３２ｃを介して中空空間４に大量に流れ込む。この場合、例えば冬場においては、屋内空間６は温かく湿っており、中空空間４は冷たい空気が大量に流れ込んでいる。その結果、温かく湿った屋内空間６の空気が、中空空間４に大量に流れ込んだ冷気によって冷やされて、床材３周辺で特に結露が激しくなり、ひいては、床材の腐敗を招く。屋外空間５の空気が中空空間４に流れにくくなる傾斜角θの上限値は１５°程度であるため、本考案では上限を１５°に設定している。したがって、傾斜面１２上に付着した結露水等を流動させ、かつ結露の発生を減少させるために、傾斜角θを、３°〜１５°の範囲に設定した。なお、傾斜角θは、少なくとも３°〜１５°の範囲であれば、上述した効果は発揮されるが、より一層の効果を発揮するためには、５°〜１１°の範囲であることが望ましい。
【００３１】
次に断熱材間隙３２ａ、３２ｂ、もしくはすべての断熱材間隙３２ｃ（以下、これら３つの断熱材間隙を総称して断熱材間隙３２と略す）を補助断熱材２３により介装させて本考案を適用した場合の動作について説明する。
【００３２】
上述したように、屋外空間５の空気は、断熱材間隙３２を介して中空空間４に流れ込む。ここで、例えば図５に示すように、補助断熱材２３を断熱材間隙３２ａに介装させた場合、補助断熱材２３の断熱性が高いことから、補助断熱材２３は、断熱材間隙３２ａを介しての空気の流動
を抑制することができる。これにより、補助断熱材２３は、湿った屋外空間５の空気が中空空間４に流入することを抑制でき、ひいては、結露の発生を減少させることができる。
【００３３】
また、上述したように、床下断熱材１の表面に生じた結露水等は、断熱材間隙３２を介して地面に向けて流下する。断熱材間隙３２に補助断熱材２３を介装させた場合であっても補助断熱材２３が高い透水性を有することから、結露水等は、補助断熱材２３及び断熱材間隙３２を介して地面に向けて流下する。即ち、断熱材間隙３２に補助断熱材２３を介装させた本考案においては、結露水等を効果的に建物外部に排出することができるのみならず、結露の発生をより一層減少させること可能となる。
【図面の簡単な説明】
【００３４】
【図１】本考案を適用した床下断熱材の斜視図である。
【図２】本考案を適用した床下断熱材を側面から見た断面図である。
【図３】本考案を適用した床下断熱材の正面図である。
【図４】本考案を適用した床下断熱材の他の構成例を示す斜視図である。
【図５】本考案を適用した床下断熱材の他の構成例を示す断面図である。
【符号の説明】
【００３５】
１  床下断熱材
２  大引き
２ａ  幅方向側面
３  合板
４  中空空間
５  屋外空間
６  屋内空間
１１  長手方向中央部
１２  傾斜面
１３  第１凸部
１４  断熱材前側部
１４ａ  長手方向前側面
１５  第２凸部
１６  断熱材後側部
１６ａ  長手方向後側面      
１７  下面
１８  スペーサ
２１  挟持部
２１ａ  幅方向側面
２２  溝
２３  補助断熱材
３１  圧設部
３２ａ  断熱材間隙
３２ｂ  断熱材間隙
３２ｃ  断熱材間隙
３３  幅方向上部
θ  傾斜角
Ｗａ  大引き間幅
Ｗｂ  断熱材上面幅
Ｗｃ  断熱材下面幅
【図１】
0003129482.tif 000003
【図２】
0003129482.tif 000004
【図３】
0003129482.tif 000005
【図４】
0003129482.tif 000006
【図５】
0003129482.tif 000007